(57)【要約】【課題】検針可能で錆の心配もなく、多種多様な服地に合わせることができるボタンを提供する。【解決手段】樹脂材料から形成されたボタン本体２の表面に、無電解ニッケルメッキ層３が形成され、さらにその表面に透明のウレタンコーティング層４が被覆され、このウレタンコーティング層４が、無電解ニッケルメッキ層３の被覆後に染料により染色されてなるボタン１、樹脂材料から形成されたボタン本体２の表面に、無電解ニッケルメッキ層３を形成し、さらにその表面に透明のウレタンコーティング層４を形成した後、このウレタンコーティング層４を染料により染色するボタン１の製造方法。【選択図】  図２
2004202045.tif 000002
【特許請求の範囲】
【請求項１】
樹脂材料から形成されたボタン本体の表面に、無電解ニッケルメッキ層が形成され、さらにその表面に透明のウレタンコーティング層が被覆され、このウレタンコーティング層が、無電解ニッケルメッキ層の被覆後に染料により染色されてなることを特徴とするボタン。
【請求項２】
樹脂材料から形成されたボタン本体の表面に、無電解ニッケルメッキ層を形成し、さらにその表面に透明のウレタンコーティング層を形成した後、このウレタンコーティング層を染料により染色することを特徴とするボタンの製造方法。
【発明の詳細な説明】
【０００１】
【発明の属する技術分野】
本発明は、衣類などに使用される金属メッキボタンに関するものである。
【０００２】
【従来の技術】
一般に、衣類などの服飾設計を行う場合、サテン、エナメル、本革などの光沢のある服地に対して、光沢のある金属メッキボタンを組み合わせるといったことが行われている。
【０００３】
このような金属メッキボタンとしては、樹脂製の基材の表面に金属銅メッキを施して形成されたものが知られている。しかし、金属メッキとして銅メッキを行った場合、最終製品を検針機に通した際に、ボタンが検針機に反応してしまい検針することができなくなってしまう。
【０００４】
そこで、従来より、検針可能な金属メッキボタンとして、樹脂製の基材の表面に、無電解ニッケルメッキによるメッキ層を形成したものが提案されている（例えば、特許文献１参照）。
【０００５】
【特許文献１】
特開平６−３０４００７号公報
【０００６】
【発明が解決しようとする課題】
しかし、無電解ニッケルメッキ層を形成した金属メッキボタンの場合、洗濯などの際に、塩素系漂白剤などを使用すると金属メッキ層が錆びてしまうといった不都合を生じることとなる。
【０００７】
また、金属メッキボタンの場合、無電解ニッケルメッキによる金属メッキボタンに限らず、ボタンの色は、金属色に限られることとなる。したがって、多種多様な色の服地に合わせてボタンを用意することができないといった不都合を生じることとなる。
【０００８】
本発明は、係る実情に鑑みてなされたものであって、検針可能で錆の心配もなく、多種多様な服地に合わせることができるボタンを提供することを目的としている。
【０００９】
【課題を解決するための手段】
上記課題を解決するための本発明のボタンは、樹脂材料から形成されたボタン本体の表面に、無電解ニッケルメッキ層が形成され、さらにその表面に透明のウレタンコーティング層が被覆され、このウレタンコーティング層が、無電解ニッケルメッキ層の被覆後に染料により染色されてなるものである。
【００１０】
また、上記課題を解決するための本発明のボタンの製造方法は、樹脂材料から形成されたボタン本体の表面に、無電解ニッケルメッキ層を形成し、さらにその表面に透明のウレタンコーティング層を形成した後、このウレタンコーティング層を染料により染色するものである。
【００１１】
【発明の実施の形態】
以下、本発明の実施の形態を図面を参照して説明する。
【００１２】
図１は本発明に係るボタン１の全体構成の概略を示し、図２は同ボタン１の施工工程を示している。
【００１３】
すなわち、このボタン１は、樹脂材料から形成されたボタン本体２の表面に、無電解ニッケルメッキ層３を形成し、さらにその表面に透明のウレタンコーティング層４を形成した後、このウレタンコーティング層４を染料により染色するものである。
【００１４】
ボタン本体２は、所望のボタン形状に成形したものが使用される。このボタン本体２は、カゴなどの容器に大量に入れてメッキ槽に浸けて無電解ニッケルメッキ層３の形成を行う。したがって、ボタン本体２の比重が大きく単体の重さがある場合、メッキ槽に浸けた際に、ボタン本体２同士が擦れ合ってボタン本体２の表面に上手く無電解ニッケルメッキ層３の形成が出来なくなってしまう。したがって、ボタン本体２としては、各種ボタン形状に成形が容易で、かつ、無電解ニッケルメッキが可能なできるだけ比重の軽い材質のものが使用される。このようなボタン本体２としては、例えば、ＡＢＳ樹脂、ナイロンなどの各種樹脂材料からなるものであってもよいし、アルミニウムなどの金属であってもよい。製造コストなどを考慮した場合、ＡＢＳ樹脂製のボタン本体２を使用することが最も好ましい。
【００１５】
無電解ニッケルメッキ層３は、ボタン本体２の表面に形成され、深みのある金属の風合いをボタン１に与えるための元となる。すなわち、この無電解ニッケルメッキ層３は、通常のメッキボタンのような仕上げとして行われるものではなく、下地形成のために行われるものであるため、形成する無電解ニッケルメッキ層３の厚みとしては、特に厚く形成する必要は無く、ボタン本体２の表面を被覆できる最低限度の薄さでよい。また、無電解ニッケルメッキ層３は、検針機で検針可能な非磁性の無電解ニッケルメッキ層３を形成することができるものであれば、特に限定されるものではなく、ニッケルメッキ、ニッケルと他の金属とのニッケル合金メッキなどであってもよい。
【００１６】
ウレタンコーティング層４は、上記無電解ニッケルメッキ層３を形成したボタン本体２の表面全体を被覆するように形成される。このウレタンコーティング層４の形成方法としては、特に限定されるものではなく、ウレタン塗料の中に無電解ニッケルメッキ層３を形成したボタン本体２を浸漬するようにしてもよいし、無電解ニッケルメッキ層３を形成したボタン本体２の表面にウレタン塗料を塗布するものであってもよい。このウレタンコーティング層４は、ボタン１の下地となる無電解ニッケルメッキ層３を隠してしまわないように、透明のものが使用される。このウレタンコーティング層４は、ボタン１の最外表面の仕上げ層となって、ボタン１の使用や洗濯などに対する耐久性を発揮することとなる。したがって、ウレタンコーティング層４は、確実に無電解ニッケルメッキ層３を被覆するように形成される。
【００１７】
このウレタンコーティング層４を被覆したボタン本体２は、染料を用いてウレタンコーティング層４の透明部分を所望の濃さに染色する。この際、染色時間、染料濃度、染色温度、染色助剤などを調整することによって、所望の染色濃度に染色する。ただし、濃色染めにしてしまうと、ウレタンコーティング層４の下地になっている無電解ニッケルメッキ層３が遮断されてしまうこととなり、形成されたボタン１には、深みのある金属の風合いを残すことができなくなってしまう。したがって、染色する際は、ウレタンコーティング層４の下地になっている無電解ニッケルメッキ層３の風合いを残すことができるように、淡色染め、中色染めなどにとどめる。
【００１８】
このように、無電解ニッケルメッキ層３の風合いを残すことができる程度の淡色染め、中色染めなどにとどめることで、染色されたボタン１は、下地になっている無電解ニッケルメッキ層３を染色されたウレタンコーティング層４とが相まって金属の風合いの残した所望の色となる。しかも、染色は、ボタン本体２にウレタンコーティング層４を被覆した後に行うので、着色したウレタンコーティング層４を被覆する場合のようにムラになることもなく、微妙な色調整を行うことができる。
【００１９】
また、ウレタンコーティング層４は、無電解ニッケルメッキ層３の表面を被覆しているため、塩素系漂白剤などによってボタン１が錆びるといったことを防止することができる。
【００２０】
さらに、ボタン１は、無電解ニッケルメッキ層３を形成しているため、金属メッキ層が検針機に反応するのを防止することができる。
【００２１】
このようにして構成されるボタン１は、金属の風合いを残したまま微妙な色を発現することができるので、各種の服地に合わせた所望のボタン１を得ることができる。特に、サテン、エナメル、本革などのように、光沢のある素材の場合、従来は、通常の金属ボタンしか合わせることがきなかったが、このボタン１を用いることで、より一層服地とマッチしたボタン１を提供することができる。
【００２２】
このボタン１としては、服飾以外でも、マフラー、帽子、手袋、靴、バックなど、ボタン１を用いる各種のものに使用することができる。
【００２３】
【発明の効果】
以上述べたように、本発明によると、ボタン本体の表面に無電解ニッケルメッキ層を形成しているため、金属メッキ層が検針機に反応するのを防止することができる。
【００２４】
また、無電解ニッケルメッキ層の表面にウレタンコーティング層を被覆しているため、塩素系漂白剤などによってボタンが錆びるといったことを防止することができる。
【００２５】
さらに、無電解ニッケルメッキ層を形成し、さらにその表面に透明のウレタンコーティング層を形成した後、このウレタンコーティング層を染料により染色するため、金属メッキ層による深みのある金属の風合いを残したまま、微妙な色調整を施した所望の色のボタンを得ることができ、多種多様な服地に合わせることが可能となる。
【図面の簡単な説明】
【図１】本発明に係るボタンの全体構成の概略を示す断面図である。
【図２】（ａ）ないし（ｄ）は本発明に係るボタンの施工工程の概略を示す工程図である。
【符号の説明】
１  ボタン
２  ボタン本体
３  金属メッキ層
４  ウレタンコーティング層
【図１】
2004202045.tif 000003
【図２】
2004202045.tif 000004